(57)【要約】【課題】穀物粉を含む所定の食材から発酵焼成品に短時間で加工調理することが可能な加熱調理器を提供する。【解決手段】本発明は、制御手段５１のメモリに予め記憶保持された複数のメニューの中から、特定のメニューを手動で選択的に設定可能にするメニュー選択設定手段７Ａを備えている。制御手段５１に発酵焼成メニュー調理制御部６９は、メニュー選択設定手段７Ａにより、特定のメニューとして例えば「らくらくベーカリー」メニューを選択して設定すると、粉練りから発酵を含んだ焼き上がりまでの工程が６０分以内となるように、マイクロ波発生装置１９や熱風ユニット２４の動作を制御して、小麦粉を含む所定の食材からパン生地を生成し、発酵焼成品となるパンに加工調理する構成となっている。【選択図】図７
2019092995.tif 000002
【特許請求の範囲】
【請求項１】
被調理物をレンジ加熱するレンジ加熱手段と、
前記被調理物をヒータ加熱するオーブン加熱手段と、
複数のメニューの中から、特定のメニューを選択的に設定可能にするメニュー選択設定手段と、を備え、
前記メニュー選択設定手段により、前記特定のメニューとして発酵焼成メニューを設定すると、粉練りから発酵を含んだ焼き上がりまでの工程が６０分以内となるように、前記レンジ加熱手段や前記オーブン加熱手段の動作を制御して、前記被調理物となる穀粉を含む所定の食材から生地を生成し、発酵焼成品に加工調理する構成としたことを特徴とする加熱調理器。
【請求項２】
前記粉練り工程では、前記所定の食材を混ぜ合わせるだけで、前記レンジ加熱手段を動作させてレンジ加熱を行なう構成としたことを特徴とする請求項１記載の加熱調理器。
【請求項３】
前記発酵工程で１次発酵と２次発酵を行ない、前記２次発酵とそれに続く焼き上げの各工程で、前記オーブン加熱手段を動作させてヒータ加熱を行なうように構成したことを特徴とする請求項１または２記載の加熱調理器。
【請求項４】
前記発酵工程では、前記レンジ加熱手段だけを動作させてレンジ加熱を行なう構成としたことを特徴とする請求項１または２記載の加熱調理器。
【請求項５】
前記発酵工程では、レンジ加熱による高周波出力が４００Ｗ相当以下で、前記生地の温度が６０℃以下となるように、前記レンジ加熱手段を動作させる構成としたことを特徴とする請求項１〜４の何れか一つに記載の加熱調理器。
【発明の詳細な説明】
【技術分野】
【０００１】
本発明は、レンジ加熱手段とオーブン加熱手段を利用して、被調理物となる穀物粉を含む所定の食材から、パンやピザなどの発酵焼成品に加工調理する加熱調理器に関する。
【背景技術】
【０００２】
従来のレンジ加熱手段とオーブン加熱手段を備えた加熱調理器では、例えば特許文献１に示すように、１次発酵から焼き上げまでのパン作りの各工程で、１次発酵と２次発酵を何れもオーブン加熱手段ではなく、レンジ加熱手段によるマイクロ波のレンジ加熱とすることで、パン生地に対する発酵時間や１次発酵の後のベンチタイム（休み時間）を短縮して、仕上がり時間を優先したパンの加工調理が提案されている。
【先行技術文献】
【特許文献】
【０００３】
【特許文献１】特開２００３−３４３８４７号公報
【発明の概要】
【発明が解決しようとする課題】
【０００４】
特許文献１の加熱調理器では、１次発酵と２次発酵の各工程において、オーブン加熱手段によるヒータ加熱でパン生地を加熱発酵させた場合には、１次発酵から焼き上げまでの工程時間が１２５分となるのに対し、レンジ加熱手段によるレンジ加熱でパン生地を加熱発酵させた場合には、その工程時間が６０分に短縮される。しかし、実際のパン作りでは、小麦粉を含む所定の食材（原材料）からパン生地を生成した後に、前述の１次発酵から焼き上げを行なう必要が有り、従来の加熱調理器はその一部の加工調理を行なっているに過ぎなかった。
【０００５】
また、発酵工程でレンジ加熱手段によりパン生地を加熱発酵させた場合でも、焼き上げ工程ではオーブン加熱手段により、発酵後のパン生地をパンに焼き上げるので、加熱室内に載置した２次発酵が終了した後のパン生地を、ヒータ加熱に適した角皿に移し替えなければならない煩わしさが生じる。
【０００６】
そこで、本発明は上記事情に鑑み、複数の調理メニューの中から選択的に設定した調理メニューにより、穀物粉を含む所定の食材から発酵焼成品に短時間で加工調理することが可能な加熱調理器を提供することを目的とする。
【０００７】
また本発明は、発酵工程が終了した後の生地を、そのままの状態で発酵焼成品に焼き上げることが可能な加熱調理器を提供することを目的とする。
【課題を解決するための手段】
【０００８】
本発明の加熱調理器は、被調理物をレンジ加熱するレンジ加熱手段と、前記被調理物をヒータ加熱するオーブン加熱手段と、複数のメニューの中から、特定のメニューを選択的に設定可能にするメニュー選択設定手段と、を備え、前記メニュー選択設定手段により、前記特定のメニューとして発酵焼成メニューを設定すると、粉練りから発酵を含んだ焼き上がりまでの工程が６０分以内となるように、前記レンジ加熱手段や前記オーブン加熱手段の動作を制御して、前記被調理物となる穀粉を含む所定の食材から生地を生成し、発酵焼成品に加工調理する構成としたことを特徴とする。
【発明の効果】
【０００９】
請求項１の発明によれば、メニュー選択設定手段により発酵焼成メニューを選択して設定すると、レンジ加熱手段やオーブン加熱手段の動作が制御され、穀物粉を含む所定の食材が６０分以内で発酵焼成品に加工調理される。そのため、複数の調理メニューの中から選択的に設定した調理メニューにより、穀物粉を含む所定の食材から発酵焼成品に短時間で加工調理することが可能な加熱調理器を提供できる。
【００１０】
請求項２の発明によれば、所定の食材をこねずに混ぜるだけで、発酵工程前の生地を生成できるので、粉練り工程における時間短縮を図ることが可能になる。
【００１１】
請求項３の発明によれば、２次発酵の工程が終了した後の生地を、そのままの状態でヒータ加熱により発酵焼成品に焼き上げることが可能となり、生地移動の手間を省くことができる。
【００１２】
請求項４の発明によれば、粉練り工程で生成された生地に対して、レンジ加熱手段によるレンジ加熱だけを行なわせることで、発酵工程における時間短縮を図ることが可能になる。
【００１３】
請求項５の発明によれば、発酵工程で高周波出力が４００Ｗ相当以下となるように、また生地の温度が６０℃以下となるように、粉練り工程で生成された生地に対してレンジ加熱を行なうことで、最適な条件で生地を発酵させることが可能となる。
【図面の簡単な説明】
【００１４】
【図１】本発明の一実施形態を示す加熱調理器の外観斜視図である。
【図２】同上、扉を開けた時の正面前方から見た図である。
【図３】同上、側面から見た縦断面図である。
【図４】同上、キャビネットを外した状態の後面後方から見た図である。
【図５】同上、本体の内部構造を示す概略図である。
【図６】同上、側面から見たマイクロ波発生装置とその周辺の要部縦断面図である。
【図７】同上、主な電気的構成を示すブロック図である。
【図８】従来と本実施形態で、丸パンを作り上げるまでの工程と所要時間を比較した図である。
【図９】従来と本実施形態で、ピザ台を作り上げるまでの工程と所要時間を比較した図である。
【図１０】従来と本実施形態で、フランスパンを作り上げるまでの工程と所要時間を比較した図である。
【図１１】本実施形態の「らくらくメロンパン」メニューによるメロンパン作りで、で、（Ａ）はパン生地片の上にクッキー生地を載せた状態を示し、（Ｂ）は完成したメロンパンの状態を示した図である。
【図１２】本実施形態において、冷蔵庫を利用したパン作りの一連の手順を示す図である。
【図１３】本実施形態において、「シンプル丸パン」メニューによる丸パン作りで、（Ａ）はパン生地を生成した状態を示し、（Ｂ）と（Ｃ）はパン生地を焼き上げた状態を示した図である。
【図１４】「らくらくベーカリー」メニューに基づく丸パン作りで、水分量を変更した場合の丸パンの仕上がり結果を比較した図である。
【図１５】「らくらくベーカリー」メニューに基づく丸パン作りで、第１のレシピ案の詳細を示した図である。
【図１６】「らくらくベーカリー」メニューに基づく丸パン作りで、第２のレシピ案の詳細を示した図である。
【図１７】第１のレシピ案、第２のレシピ案、および第１のレシピ案の改良案のそれぞれについて、丸パンの作り方と仕上がりの結果を比較した図である。
【図１８】「らくらくフランスパン」メニューに基づくフランスパン作りで、第１の検討レシピの詳細を示した図である。
【図１９】「らくらくフランスパン」メニューに基づくフランスパン作りで、第２の検討レシピの詳細を示した図である。
【図２０】「らくらくフランスパン」メニューに基づくフランスパン作りで、第３の検討レシピの詳細を示した図である。
【図２１】フランスパン作りで、既存のレシピでの材料と分量を示した図である。
【図２２】フランスパン作りで、全ての検討レシピに共通する材料と分量を示した図である。
【図２３】第１の検討レシピ、第２の検討レシピ、第３の検討レシピ、および既存のレシピ案のそれぞれについて、フランスパンパンの作り方と仕上がりの結果を比較した図である。
【図２４】第１の変更レシピ、第２の変更レシピ、第３の変更レシピ、および第４の変更レシピのそれぞれについて、フランスパンパンの作り方と仕上がりの結果を比較した図である。
【発明を実施するための形態】
【００１５】
以下、本発明における好ましい加熱調理器の実施形態について、添付図面を参照して説明する。なお、これらの全図面にわたり、共通する部分には共通する符号を付すものとする。
【００１６】
図１〜図１３は、本発明の加熱調理器をオーブンレンジに適用した一実施形態を示している。先ず図１〜図６に基いて、オーブンレンジの全体構成を説明すると、１は略矩形箱状に構成される本体で、この本体１は、製品となるオーブンレンジの外郭を覆う部材として、金属製のキャビネット２を備えている。また３は、本体１の前面に設けられる開閉自在な扉である。
【００１７】
扉３の上部には、縦開きの扉３を開閉するときに手をかける開閉操作用のハンドル４を備えており、扉３の下部には、表示や報知や操作のための操作パネル部５を備えている。操作パネル部５は、調理の設定内容や進行状況などを表示する表示手段６の他に、加熱調理に関する各種の操作入力を可能にする操作手段７が配設される。扉３の内部で操作パネル部５の後側には、図示しないが、表示手段６や操作手段７などの制御を行なうために、操作パネルＰＣ（印刷回路）板が配置される。
【００１８】
本体１の下部には、本体１の前面より着脱が可能な給水カセット８と水受け９が各々配設される。給水カセット８は、後述の蒸気供給装置３３から発生する蒸気の供給源として、液体となる水を入れる有底状の容器である。また水受け９は、本体１からの食品カスや水滴、蒸気などを受ける別な有底状の容器である。
【００１９】
本体１の左右側面と上面を形成するキャビネット２は、本体１ひいては加熱調理器の底面を形成するオーブン底板１１を覆うように、本体１の前面を形成するオーブン前板１２と、本体１の後面を形成するオーブン後板１３との間に設けられる。また本体１には、加熱調理すべき被調理物Ｓを内部に収容する調理室１４と、調理室１４の温度を検出する温度検出素子たるサーミスタ１５が設けられる。調理室１４の前面はオーブン前板１２に達していて、被調理物Ｓを出し入れするのに開口しており、この開口を扉３で開閉する構成となっている。またサーミスタ１５は、調理室１４内部において、扉３の近傍に配置される。
【００２０】
調理室１４を形成する周壁は、天井壁１４ａと、底壁１４ｂと、左側壁１４ｃと、右側壁１４ｄと、奥壁１４ｅとからなる。調理室１４の奥壁１４ｅは、その中央に吸込み口１６を備えており、吸込み口１６の周囲には複数の吹出し口１７を備えている。また、調理室１４の上壁面となるドーム状の天井壁１４ａに対向して、本体１の上部には、調理室１４の上方から被調理物Ｓを輻射加熱するグリル用の上ヒータ１８が設けられ、本体１の底部には、調理室１４内に電波であるマイクロ波を供給するために、マグネトロンなどを含むマイクロ波発生装置１９が設けられる。これにより、上ヒータ１８への通電に伴う熱放射によって、調理室１４内に収容した被調理物Ｓを上方向からグリル加熱し、またマイクロ波発生装置１９への通電動作により、調理室１４内に収容した被調理物Ｓにマイクロ波を放射して、被調理物Ｓをレンジ加熱する構成となっている。
【００２１】
調理室１４の左側壁１４ｃと右側壁１４ｄには、調理室１４の内部に金属製の角皿２１を吊設状態で収納保持するために、左右一対の棚支え２２を上下二段に備えている。ここで使用する角皿２１は、上面を開口した有底凹状で、その他は無孔に形成される収容部２１Ａと、収容部２１Ａの上端より外側水平方向に延設するフランジ部２１Ｂとにより構成される。またフランジ部２１Ｂには、角皿２１を通して熱風の流通を可能にする通気孔２１Ｃが開口形成される。図２では、調理室１４の内部で下段の棚支え２２に角皿２１のフランジ部２１Ｂを載せて、収容部２１Ａに被調理物Ｓを載せた状態を示しているが、調理に応じて角皿２１を上段の棚支え２２にだけ載せたり、２枚の角皿２１を上段と下段の棚支え２２に各々載せたりしてもよく、角皿２１に代えて別な焼き網（図示せず）などの付属品を収納保持することもできる。
【００２２】
２４は、本体１の内部において、調理室１４の室外後方から下方にかけて具備されるオーブン加熱用の熱風ユニットである。この熱風ユニット２４は、奥壁１４ｅに取付けられる凸状のケーシング２６と、空気を加熱する熱風ヒータ２７と、調理室１４内に加熱した空気を送り込んで循環させる熱風ファン２８と、熱風ファン２８を所定方向に回転させる電動の熱風モータ２９と、熱風モータ２９からの駆動力を熱風ファン２８に伝達する伝達機構３０と、により概ね構成される。奥壁１４ｅとケーシング２６との間の内部空間として、調理室１４の室外後方に形成された加熱室３１には、熱風ヒータ２７と熱風ファン２８がそれぞれ配設される一方で、本体１の内部に形成された調理室１４とオーブン底板１１との間の下部空間３２には、熱風モータ２９が配設される。そして、熱風ユニット２４全体を後側外方から覆うように、本体１の後部にオーブン後板１３が配設される。
【００２３】
本実施形態の熱風ファン２８は、軸方向に取り入れた空気を、回転時の遠心力によって、軸方向と直角な放射方向に吐き出すいわゆる遠心ファンとして設けられており、管状の熱風ヒータ２７は熱風ファン２８の放射方向を取り囲んで配置される。発熱部でもある熱風ヒータ２７は、例えばシーズヒータ、マイカヒータ、石英管ヒータやハロゲンヒータなどを用いる。前述した吸込み口１６や熱風吹出し口１７は、調理室１４と加熱室３１との間を連通する通風部として機能するものである。
【００２４】
そして本実施形態では、熱風モータ２９への通電に伴い熱風ファン２８が回転駆動すると、調理室１４の内部から吸込み口１６を通して吸引された空気が、熱風ファン２８の放射方向に吹出して、通電した熱風ヒータ２７により加熱され、熱風吹出し口１７を通過して調理室１４内に熱風が供給される。これにより、調理室１４の内外で熱風を循環させる経路が形成され、調理室１４内の被調理物Ｓを熱風コンベクション加熱する。また、角皿２１の周囲にスリット状の通気孔２１Ｃを設けることで、例えば上下２段の棚支え２２に角皿２１を各々載せて、熱風ユニット２４を利用したオーブン加熱調理を行なった場合でも、各角皿２１の通気孔２１Ｃを通して調理室１４内で熱風が上下に循環するため、被加熱物Ｓとなる食品を上下左右から包み込んで焼き上げることが可能になる。
【００２５】
調理室１４の左側壁１４ｃには、蒸気供給装置３３に連通する蒸気噴出孔３４が設けられる。本体１の内部に設けられる蒸気供給装置３３は、金属製で中空の蒸発容器３５や、給水カセット８と蒸発容器３５との間に連結する給水管３６や、蒸発容器３５に装着されるシーズヒータなどの蒸発用ヒータ３７や、給水カセット８からの水を蒸発容器３５内に導く給水ポンプ３８や、蒸発容器３５内の温度を検出する容器温度検出手段３９などを備え、蒸発容器３５内に連通して複数の蒸気噴出孔３４を有している。そして本実施形態では、給水カセット８に水を収容した状態で給水ポンプ３８が駆動されると、給水カセット８から送られてきた水が、蒸発用ヒータ３７の通電により所定の温度に加熱された蒸発容器３５の内部に導かれて蒸気化され、蒸気噴出孔３４から調理室１４の内部に飽和蒸気や過熱蒸気が供給される。これにより、調理室１４内に入れられた被調理物Ｓのスチーム調理を行なう構成となっている。
【００２６】
続いて、マイクロ波発生装置１９とその周辺の細部構成について説明すると、調理室１４の底壁１４ｂは、金属板材４１に形成された凹状のアンテナ収納部４２の上面開口を、セラミック板などのマイクロ波が透過可能な底板４３で覆うことで構成される。マイクロ波が透過不能な金属板材４１は、底壁１４ｂの周囲部のみならず、左側壁１４ｃや、右側壁１４ｄや、奥壁１４ｅを一体的に形成するもので、底板４３を除く調理室１４の内面は、全てマイクロ波が透過不能な材料で形成される。
【００２７】
マイクロ波発生装置１９は、マイクロ波の供給源となるマグネトロン（図示せず）の他に、本体１内部の下部空間３２において、マグネトロンで発振されたマイクロ波をアンテナ収納部４２の直下に導く導波管４５と、導波管４５の下方に配設されるアンテナモータ４６と、その下端部が導波管４５の内部に配置され、アンテナモータ４６の回転軸に取付け固定されるアンテナホルダ４７と、アンテナホルダ４７内に挿入固定される円柱状のケーブル軸４８と、その中心にケーブル軸４８の上端部が取付け固定され、アンテナ収納部４２の内部で回動可能に設けられるアンテナ４９と、により主に構成される。アンテナ収納部４２の上面開口を底板４３で塞いだ状態では、調理室１４の底壁１４Ｂを形成する平板状の底板４３に対向して、アンテナ４９の全体が底板４３と平行に配置される。
【００２８】
図７は、オーブンレンジの主な電気的構成を示している。同図において、５１はマイクロコンピュータにより構成される制御手段であり、この制御手段５１は周知のように、演算処理手段としてのＣＰＵや、記憶手段としてのメモリや、計時手段としてのタイマや、入出力デバイスなどを備えている。
【００２９】
制御手段５１の入力ポートには、前述したキーやタッチパネルによる操作手段７や、容器温度検出手段３９の他に、検出素子となる赤外線センサにスイング機構を装備して構成され、調理室１４内全体の温度分布を検出することで、そこに収容された被加熱物Ｓの温度を検出可能にする庫内温度分布検出手段５３と、調理室１４内の温度を検出するサーミスタ１５などの庫内温度検出手段５４と、熱風モータ２９の回転を検出する熱風モータ回転検出手段５５と、扉３の開閉状態を検出する扉開閉検出手段５６と、マイクロ波発生装置１９を構成するアンテナの原点位置を検出するアンテナ位置検出手段５７が、それぞれ電気的に接続される。
【００３０】
制御手段５１の出力ポートには、前述した表示手段６の他に、マイクロ波発生装置１９のマグネトロンやその駆動手段を含むマイクロ波加熱手段６１と、グリル加熱用の上ヒータ１８や、オーブン加熱用の熱風ヒータ２７や、スチーム加熱用の蒸発用ヒータ３７をそれぞれ通断電させるリレーなどのヒータ駆動手段６２と、調理室１４内にマイクロ波を放射するアンテナを回転駆動させるためのアンテナ駆動手段６３と、熱風モータ２９を回転駆動させるための熱風モータ駆動手段６４と、蒸気発生装置３３の給水ポンプ３８を動作させるためのポンプ駆動手段６５が、それぞれ電気的に接続される。
【００３１】
制御手段５１は、操作手段７からの操作信号と、容器温度検出手段４２や、庫内温度分布検出手段５３や、庫内温度検出手段５４や、熱風モータ回転検出手段５５や、扉開閉検出手段５６や、アンテナ位置検出手段５７からの各検出信号を受けて、計時手段からの計時に基づく所定のタイミングで、マイクロ波加熱手段６１と、ヒータ駆動手段６２と、アンテナ駆動手段６３と、熱風モータ駆動手段６４と、ポンプ駆動手段６５に駆動用の制御信号を出力し、また表示手段６に表示用の制御信号を出力する機能を有する。こうした機能は、記憶媒体としての前記メモリに記録したプログラムを、制御手段５１が読み取ることで実現するが、特に本実施形態では、制御手段５１を加熱調理制御部６７と、表示制御部６８として機能させるプログラムを備えている。
【００３２】
加熱調理制御部６７は、主に被調理物Ｓの加熱調理に係る各部の動作を制御するもので、操作手段７の操作に伴う操作信号を受け取ると、扉開閉検出手段５６からの検出信号により、扉３が閉じていると判断した場合に、その操作信号に応じて、マイクロ波加熱手段６１や、ヒータ駆動手段６２や、アンテナ駆動手段６３や、熱風モータ駆動手段６４や、ポンプ駆動手段６５に制御信号を送出して、調理室１４内の被調理物Ｓに対する加熱調理を制御する。本実施形態では、加熱調理を実行するための被加熱物Ｓの材料や加熱条件などを含む調理情報として、予め複数のメニューが前記メモリに記憶保持されており、加熱調理制御部６７は操作手段７に組み込まれたメニュー選択設定手段７Ａが適宜操作されると、その中から選択された一つのメニューを、これから加熱調理を行なう特定のメニューとして設定し、その特定のメニューに従う所定の手順で、被調理物Ｓを自動的に加熱調理する構成となっている。
【００３３】
特に本実施形態では、メニュー選択設定手段７Ａからの操作信号を受けて、複数のメニューの中から、例えばパン作りやピザ作りなどを行なうための発酵焼成メニューを選択的に設定した場合に、加熱出力や温度や時間などの加熱条件を設定することなく、粉練りから発酵を含んだ焼き上がりまでの全ての工程が６０分以内に終了するように、レンジ加熱手段となるマイクロ波発生装置１９や、オーブン加熱手段となる熱風ユニット２４や、スチーム加熱手段となる蒸気供給装置３３の動作をそれぞれ制御して、少なくとも小麦粉などの穀粉を含む所定の食材から、例えばパン生地やピザ生地などを生成し、パンやピザなどの発酵焼成品に自動的に加工調理して仕上げる発酵焼成メニュー調理制御部６９を、加熱調理制御部６７の中の一機能として備えている。
【００３４】
発酵焼成メニュー調理制御部６９により加工調理される発酵焼成品は、例えば丸パン、バターロール、フランスパン、メロンパンなど、同じパンであっても一種類に限られない。したがって、メニュー選択設定手段７Ａで選択できる発酵焼成メニューも、発酵焼成メニュー調理制御部６９により加工調理される発酵焼成品の種類に合せて、メモリに複数記憶保持されるのが好ましい。これらの発酵焼成メニューの全てもしくは一部について、発酵焼成メニュー調理制御部６９はメニュー選択設定手段７Ａからの操作信号を受けて、その中の一つを特定のメニューとして選択的に設定すると、前記所定の材料の粉練りから開始して、発酵を含んだ焼き上がりまでの工程が６０分以内に終了するように、マイクロ波発生装置１９や熱風ユニット２４や蒸気供給装置３３の動作をそれぞれ制御する構成となっている。
【００３５】
なお、発酵焼成メニュー調理制御部６９がマイクロ波発生手段１９を動作させて、加熱室２に入れられた被調理物Ｓをレンジ加熱する場合には、金属製の角皿２１や焼き網を使用することはできない。それに対して、発酵焼成メニュー調理制御部６９が熱風ユニット２４を動作させて、加熱室２に入れられた被調理物Ｓをオーブン加熱する場合には、角皿２１や焼き網に被調理物Ｓを載せて使用することができる。したがって、発酵焼成メニュー調理制御部６９による加工調理の工程中に、被調理物Ｓへの加熱をレンジ加熱からオーブン加熱、またはオーブン加熱からレンジ加熱に切替える場合には、一時的に扉３を開けて被調理物Ｓを出し入れする必要がある。
【００３６】
また発酵焼成メニュー調理制御部６９は、本体１の上部に設けられた上ヒータ１８や、本体１の下部に設けられ、調理室１４の下方から被調理物Ｓを輻射加熱する下ヒータ（図示せず）により、被調理物Ｓをグリル加熱する構成としてもよい。こうした上ヒータ１８や下ヒータの他に、前述の熱風ヒータ２７を有する熱風ユニット２４は、何れも被調理物Ｓを熱源となるヒータで加熱するオーブン加熱手段を構成するものである。一方、マイクロ波発生装置１９は、被調理物Ｓを電波（マイクロ波）でレンジ加熱するレンジ加熱手段に相当し、蒸気供給装置３３は、被調理物Ｓを過熱水蒸気でスチーム加熱するスチーム加熱手段に相当する。オーブン加熱手段やレンジ加熱手段やスチーム加熱手段がどのような構成で、本体１のどの位置に設けられるのかは、特に限定されない。
【００３７】
メニュー選択設定手段７Ａは、具体的には表示手段６となるＬＥＤ表示器の表面上に設けられ、ＬＥＤ表示器に表示される複数のメニューの中から、特定のメニューを選択可能にするタッチキーと、タッチキーの操作により特定のメニューを選択した状態で押動操作されると、その特定のメニューが加熱調理制御部６７により設定記憶され、特定のメニューに従う所定の手順で、被調理物Ｓの加熱調理を開始させるスタートキーと、により構成される。但し、これはあくまでも一例であり、メニュー選択設定手段７Ａをどのような構成とするのかは特に限定しない。
【００３８】
次に、上記構成のオーブンレンジについてその作用を説明する。予め調理室１４内に被調理物Ｓを入れた状態で、ハンドル４を手で握りながら扉３を閉め、メニュー選択設定手段７Ａにより特定のメニューを選択操作した後に、被調理物Ｓの加熱調理開始を指示すると、制御手段５１の記憶部に組み込まれた制御プログラムに従って、選択した調理メニューに対応して生成された制御信号が所定のタイミングで出力され、被調理物Ｓが加熱調理される。
【００３９】
ここで、例えばオーブン加熱のメニューを選択した場合、加熱調理制御部６７は庫内温度検出手段５４からの検出信号を受けて、調理室１４内が設定した温度に加熱されるように、ヒータ駆動手段６２と熱風モータ駆動手段６４に各々制御信号を送出し、熱風ヒータ２７と熱風モータ２９の通断電を制御する。これにより、熱風モータ２９に発生した回転力が熱風ファン２８に伝達し、熱風ファン２８が加熱室３１の内部で回転して、その速度は熱風モータ回転検出手段５５により加熱調理制御部６７に取り込まれると共に、調理室１４から吸込み口１６を通して加熱室３１に吸込んだ空気を、通電した熱風ヒータ２７側に送り出し、ここで加熱された空気が吹出し口１７を通して調理室１４に熱風として供給することで、調理室１４内の被調理物Ｓが熱風コンベクション加熱される。
【００４０】
また、スチームを使った蒸し調理（スチーム調理）のメニューを選択した場合、加熱調理制御部６７は容器温度検出手段３９からの検出信号を受けて、蒸発容器３５内が所定の温度となるように、少なくともヒータ駆動手段６２とポンプ駆動手段６５に各々制御信号を送出して、蒸気供給装置３３に組み込まれた給水ポンプ３８の動作と、蒸発用ヒータ３７の通断電を制御する。これにより、蒸気噴出孔３４から調理室１４内に飽和蒸気や過熱蒸気を噴出させ、調理室１４内の被調理物Ｓを蒸し上げる。
【００４１】
また、レンジ調理のメニューを選択した場合、加熱調理制御部６７は庫内温度分布検出手段５３からの検出信号を受けて、被調理物Ｓが設定した温度に加熱されるように、アンテナ位置検出手段５７からの検出信号で、アンテナの原点位置を確認しながら、マイクロ波加熱手段６１とアンテナ駆動手段６３に適切な制御信号をそれぞれ送出する。これにより、マイクロ波発生装置１９のマグネトロンやアンテナが動作して、回転するアンテナの表面から発生したマイクロ波が調理室１４内に供給され、調理室１４内の被加熱物Ｓが高周波加熱される。
【００４２】
さらに、グリル調理のメニューを選択した場合、加熱調理制御部６７は庫内温度検出手段５４からの検出信号を受けて、調理室１４内が設定した温度に加熱されるように、上ヒータ１８の通断電が制御され、調理室１４内の被調理物Ｓが上方向からグリル加熱される。
【００４３】
こうした各種の加熱調理の他に、本実施形態では加熱調理制御部６７に組み込まれた発酵焼成メニュー調理制御部６９により、被調理物Ｓとなる穀粉を主材料とした所定の食材から、柔軟性に富むペースト状の食品生地を生成し、その生地を発酵させた後に焼き上げて、最終的にパンやピザなどの発酵焼成品に加工調理することができる。以下、発酵焼成メニュー調理制御部６９による加工調理の一連の手順を詳しく説明する。
【００４４】
図８は、従来の「丸パン」メニューにより、丸型のパンを作り上げるまでの工程と所要時間と、本実施形態の「らくらくベーカリー」メニューにより、同じく丸型のパンを作り上げるまでの工程と所要時間とを比較したものである。パン作りは基本的に、所定の食材を混ぜたりこねたりして、パン生地を生成するための「混ぜる、こねる」工程と、その次にパン生地に含まれる酵母を発酵させるための「１次発酵」工程と、１次発酵で膨らんだパン生地を叩いてガス抜きを行なった後に、最終的に作りたいパンの数に切り分け、それぞれのパン生地片を一時的に休ませて、所望の形状に成形する「ガス抜き、分割、ベンチタイム、成形」工程と、成形したパン生地片を２次発酵させる「成形発酵」工程と、２次発酵させたパン生地片を焼き上げるための「焼成」工程と、を順次行なうことで、最終的な膨らんだパンが完成する。
【００４５】
従来の丸パン作りでは、最初の粉練り工程である「混ぜる、こねる」工程で、小麦粉（ふるった強力粉）と、インスタントドライイーストと、バターと、牛乳と、砂糖と、塩を所定の食材として、これらを手で５分混ぜた後、１５分のこねが必要であった。またこの工程では、加熱条件の設定が不要な専用の「丸パン」メニューではなく、加熱出力と時間の手動設定が必要な汎用の「レンジ」メニューで、耐熱ガラス製ボウルに入れられた牛乳とバターを加熱していた。つまり、「丸パン」メニューを利用したパンの加工調理は、「混ぜる、こねる」工程からではなく、「１次発酵」工程以降に制限されていた。
【００４６】
一方、本実施形態の丸パン作りでは、最初の「混ぜる、こねる」工程で、従来と同じ所定の食材から、べたつきの少ない扱いやすいパン生地を生成するために、食材の水分量を従来よりも減らすことで、食材をこねずに混ぜ合せるだけの工程時間（５分）に短縮している。またこの工程では、牛乳とバターを入れた耐熱ガラス製ボウルを調理室１４の底壁１４ｂに載せた後に、メニュー選択設定手段７Ａにより、発酵焼成メニューの一つとして専用の「らくらくベーカリー」メニューを選択的に設定すれば、加熱出力や時間をいちいち手動で設定することなく、発酵焼成メニュー調理制御部６９がマイクロ波発生手段１９を適切に動作させて、レンジ加熱により牛乳とバターを所望の温度に加熱することができる。
【００４７】
続く「１次発酵」工程において、従来は「丸パン」メニューを選択的に設定した後に、耐熱ガラス製ボウルに入れられたパン生地の発酵温度が４０℃となるように、庫内温度検出手段５４からの検出信号により調理室１４内の温度を監視しながら、オーブン加熱でパン生地への加熱を３５分間行なっていた。それに対して、本実施形態の「らくらくベーカリー」メニューでは、従来よりも加熱時間を短縮するために、耐熱ガラス製ボウルに入れられたパン生地の発酵温度が４０℃となる所定のマイクロ波出力が照射されるように、発酵焼成メニュー調理制御部６９がマイクロ波発生手段１９の動作を制御する。こうして本実施形態では、調理室１４内のパン生地をオーブン加熱ではなくレンジ加熱することで、パン生地の発酵時間を３５分から７分へと大幅に短縮できる。
【００４８】
「ガス抜き、分割、ベンチタイム、成形」工程では、従来と本実施形態に共通して、５分のガス抜きと、分割と、成形の作業と、１０分のベンチタイムが、１次発酵の終わった生地に行われる。
【００４９】
続く「成形発酵」工程において、従来は「丸パン」メニューで、成形後のパン生地片を角皿２１に載せて調理室１４内に入れ、パン生地片の発酵温度が４０℃となるように、オーブン加熱によりパン生地への加熱を３５分間行なっていた。それに対して、本実施形態の「らくらくベーカリー」メニューでは、従来よりも加熱時間を短縮するために、（３−２）パン生地片の発酵温度が４０℃となる所定のマイクロ波出力が照射されるように、発酵焼成メニュー調理制御部６９がマイクロ波発生手段１９の動作を制御する。こうして本実施形態では、調理室１４内のパン生地片をオーブン加熱ではなくレンジ加熱で成形発酵させることで、パン生地片の発酵時間を３５分から６分へと大幅に短縮できる。
【００５０】
そして、最後の「焼成」工程において、従来は「丸パン」メニューで、成形発酵の終了したパン生地片を角皿２１と共に調理室１４から一旦取り出した後、オーブン加熱により調理室１４内を一定の温度に温める６分間の予熱に続いて、パン生地片を載せた角皿２１を調理室１３に再び入れ、パン生地片を焼き上げる温度にまでオーブン加熱する９分間の焼成を行なっていた。それに対して、本実施形態の「らくらくベーカリー」メニューでは、成形発酵の終了したパン生地片を角皿２１に一旦載せ替えて、再び調理室１４内に入れた後、予熱を行なうことなく、パン生地片を焼き上げる温度にまでオーブン加熱する１５分間の焼成を行なう。何れの場合も、「焼成」工程を終了して焼き上がったパン生地片が、発酵焼成品としてのパンとして完成する。
【００５１】
本実施形態の変形例として、「ガス抜き、分割、ベンチタイム、成形」工程で、分割したパン生地片を先に所望の形状に成形してから、それぞれのパン生地片を１０分のベンチタイムで休ませた後に、次の「成形発酵」工程で、角皿２１に載せて調理室１４に入れ、６分間のレンジ加熱に代わり、１５分間のオーブン加熱による成形発酵が行なわれるように、発酵焼成メニュー調理制御部６９が熱風ユニット２４の動作を制御するようにしてもよい。これにより、オーブン加熱により成形発酵が終了した後の生地片を、そのままの状態でパンに焼き上げることが可能となり、生地片を載せ替える移動の手間を省くことができる。
【００５２】
こうして従来は、最初の「混ぜる、こねる」工程から最後の「焼成」工程までの、丸パンが出来上がるまでに約２時間を要していた。また、従来の「丸パン」メニューでは、パン作りの途中工程である「１次発酵」工程から「焼成」工程までの間にしか、調理室１４内に入れた被調理物Ｓを自動的に加工調理することができなかった。
【００５３】
それに対して本実施形態では、「成形発酵」工程でレンジ加熱を行なう場合と、オーブン加熱を行なう場合の何れにおいても、丸パンが出来上がるまでの時間を約１時間以内（レンジ加熱では４８分、オーブン加熱では５７分）に短縮できる。また、本実施形態の「らくらくベーカリー」メニューでは、パン作りの全工程である「混ぜる、こねる」工程から「焼成」工程にわたって、調理室１４内に入れた被調理物Ｓを自動的に加工調理することができる（図８の太枠内が、「丸パン」メニューや「らくらくベーカリー」メニューで自動的に加工調理する工程）。
【００５４】
図９は、従来の「ピザ」メニューにより、ピザ生地の上に具を載せたピザを作り上げるまでの工程と所要時間と、本実施形態の「らくらくピザ」メニューにより、同じくピザを作り上げるまでの工程と所要時間とを比較したものである。ピザ作りの場合も、前述の丸パン作りと概ね同じ工程を経てピザを焼き上げる。
【００５５】
先ず、最初の「混ぜる、こねる」工程について説明すると、従来はピザ生地を生成するための所定の食材として、小麦粉（ふるった強力粉）と、インスタントドライイーストと、卵と、牛乳と、砂糖と、塩が必要であったが、本実施形態では従来の卵１／２個を牛乳に変更する。これにより、従来は所定の食材を５分混ぜ合わせた後に、１０〜１５分こねてピザ生地を生成していたが、本実施形態では所定の食材をゴムべらで混ぜるだけで、ピザ生地をこねずに生成することができる。
【００５６】
続く「１次発酵」工程において、従来の「ピザ」メニューでは、調理室１４に入れられたピザ生地の発酵温度が４０℃となるように、オーブン加熱でピザ生地への加熱を３５分間行なっていたが、本実施形態の「らくらくピザ」メニューでは、調理室１４に入れられたピザ生地の発酵温度が４０℃となる所定のマイクロ波出力がアンテナ４９から照射されるように、発酵焼成メニュー調理制御部６９がマイクロ波発生手段１９の動作を制御する。これにより本実施形態では、「１次発酵」工程におけるパン生地の発酵時間を、３５分から７分へと大幅に短縮できる。
【００５７】
「ガス抜き、ベンチタイム、成形」工程では、従来と本実施形態に共通して、必要に応じてガス抜きや成形を行ないながら、１０分のベンチタイムが１次発酵の終わった生地に行われる。なおピザ作りの場合、一般的には生地を分割する必要はない。
【００５８】
次の「成形発酵」工程において、従来の「ピザ」メニューでは、調理室１４に入れられたピザ生地の発酵温度が４０℃となるように、オーブン加熱でパン生地への加熱を２０分間行なっていたが、本実施形態の「らくらくピザ」メニューでは、調理室１４に入れられたピザ生地の発酵温度が４０℃となるマイクロ波出力がアンテナ４９から照射されるように、発酵焼成メニュー調理制御部６９がマイクロ波発生手段１９の動作を制御する。これにより本実施形態では、「成形発酵」工程におけるピザ生地の発酵時間を、２０分から１０分へと短縮でき、「１次発酵」工程から「成形発酵」工程までの合計時間も、６５分から２７分へと大幅に短縮できる。
【００５９】
最後の「焼成」工程では、従来の「ピザ」メニューと本実施形態の「らくらくピザ」メニューに共通して、オーブン加熱により調理室１４内を一定の温度に温める６分間の予熱に続いて、ピザ（ピザ生地と具）全体を焼き上げる温度にまでオーブン加熱する１０分間の焼成を行なう。何れも予熱時には、調理室１４に入れられたピザ生地が一時的に取り出される。
【００６０】
こうして従来は、ピザが出来上がるまでに合計で約１時間４１分（「混ぜる、こねる」工程での作業時間が約２０分＋「１次発酵」工程から「焼成」工程までの調理時間が８１分）を要していたのに対して、本実施形態は、ピザが出来上がるまでの時間が合計で４８分（「混ぜる、こねる」工程での作業時間が約５分＋「１次発酵」工程から「焼成」工程までの調理時間が４３分）に短縮できる。また、本実施形態の「らくらくピザ」メニューでは、ピザ作りの全工程である「混ぜる、こねる」工程から「焼成」工程にわたって、調理室１４内に入れた被調理物Ｓを自動的に加工調理することができる（図９の太枠内が、「ピザ」メニューや「らくらくピザ」メニューで自動的に加工調理する工程）。
【００６１】
図１０は、従来の「フランスパン」メニューにより、フランスパンを作り上げるまでまでの工程と所要時間と、本実施形態の「らくらくフランスパン」メニューにより、同じくピザを作り上げるまでの工程と所要時間とを比較したものである。フランスパン作りの場合も、前述の丸パン作りと概ね同じ工程を経て、フランスパンを焼き上げる。
【００６２】
先ず、最初の「混ぜる、こねる」工程について説明すると、従来はパン生地を生成するための所定の食材として、フランスパン専用粉（フランスパン専用の小麦粉）と、インスタントドライイーストと、粉末モルト（麦芽）と、水と、塩を必要とし、砂糖は不要であったが、本実施形態では粉末モルトを不要にする代わりに、糖分として砂糖を使用し、フランスパン専用粉の代わりに、強力粉と薄力粉を７：３の割合で使用する。これにより、従来は所定の食材を５分混ぜ合わせた後に、１０〜１５分こねてパン生地を生成していたが、本実施形態では所定の食材をゴムべらで混ぜるだけで、パン生地をこねずに生成することができる。
【００６３】
なお従来は、最終的に２本のフランスパンが角皿２１の左右方向に横置きされた状態で焼き上がるので、所定の食材としてパン２本分の材料が必要となる。それに対して本実施形態では、１本のフランスパンが角皿２１の対角線上に斜め置きされた状態で焼き上がるので、所定の食材としてパン１本分の材料が必要となる。
【００６４】
続く「１次発酵」工程において、従来の「フランスパン」メニューでは、パン生地の発酵温度が３０℃となるように、オーブン加熱でパン生地への加熱を８５分間行ない、発酵状態を確認するのに、パン生地を指で押すフィンガーテストを行なってから、再びパン生地の発酵温度が３０℃となるように、オーブン加熱でパン生地への加熱を４５分間行なっていたが、本実施形態の「らくらくフランスパン」メニューでは、パン生地の発酵温度が４０℃となる所定のマイクロ波出力がアンテナ４９から照射されるように、発酵焼成メニュー調理制御部６９がマイクロ波発生手段１９の動作を制御する。これにより本実施形態では、「１次発酵」工程におけるパン生地の発酵時間を、１３０分から１１分へと大幅に短縮できる。
【００６５】
「ガス抜き、ベンチタイム、成形」工程では、従来の「１次発酵」工程の後に行われていた３０分のベンチタイムを、本実施例では省略して、すぐにパン生地を角皿２１に載るような所望の形状に成形する。なおフランスパン作りの場合、ガス抜きは前述のフィンガーテストの時に、パン生地を軽く丸め直す程度に行なえばよい。
【００６６】
次の「成形発酵」工程において、従来の「フランスパン」メニューでは、調理室１４に入れられたパン生地の発酵温度が３０℃となるように、オーブン加熱でパン生地への加熱を２０分間行なっていたが、本実施形態の「らくらくフランスパン」メニューでは、調理室１４に入れられたパン生地の発酵温度が４０℃となるマイクロ波出力がアンテナ４９から照射されるように、発酵焼成メニュー調理制御部６９がマイクロ波発生手段１９の動作を制御する。これにより本実施形態では、「成形発酵」工程におけるパン生地の発酵時間を、２０分から６分へと短縮でき、「１次発酵」工程から「成形発酵」工程までの合計時間も、３時間から１９分へと大幅に短縮できる。
【００６７】
最後の「焼成」工程において、従来の「フランスパン」メニューでは、オーブン加熱により調理室１４内を一定の温度に温める１３分間の予熱に続いて、パン生地を焼き上げる温度にまでオーブン加熱する２７分間の焼成を行ない、本実施形態の「らくらくフランスパン」メニューでは、オーブン加熱による１０分の予熱に続いて、パン生地を焼き上げるためのスチーム加熱やオーブン加熱による１５分の焼成を行なう。何れも予熱時には、調理室１４に入れられたピザ生地が一時的に取り出されるが、パン生地に対するクープ（切り込み）入れは、予熱が終了する直前に行われる。これにより本実施形態では、「焼成」工程における予熱と焼成の合計時間を、４０分から２５分へと短縮できる。
【００６８】
「焼成」工程が終了すると、焼き上がったパン生地片が、発酵焼成品としてのフランスパンとして完成する。従来は角皿２１の左右方向に、２本のフランスパンが横置きされた状態で焼き上がるのに対し、本実施形態では角皿２１の対角線上に、従来のものよりも長い１本のフランスパンが斜め置きされた状態で焼き上がる。
【００６９】
こうして従来は、フランスパンが出来上がるまでに合計で約４時間（「混ぜる、こねる」工程での作業時間が約２０分＋「１次発酵」工程から「焼成」工程までの調理時間が３時間４０分）を要していたのに対して、本実施形態は、フランスパンが出来上がるまでの時間が合計で５５分（「混ぜる、こねる」工程での作業時間が約１０分＋「１次発酵」工程から「焼成」工程までの調理時間が４５分）に短縮できる。また、本実施形態の「らくらくフランスパン」メニューでは、フランスパン作りの全工程である「混ぜる、こねる」工程から「焼成」工程にわたって、調理室１４内に入れた被調理物Ｓを自動的に加工調理することができる（図１０の太枠内が、「フランスパン」メニューや「らくらくフランスパン」メニューで自動的に加工調理する工程）。
【００７０】
図１１は、本実施形態の「らくらくメロンパン」メニューによるメロンパン作りで、分割したパン生地片の上にクッキー生地を載せた状態（Ａ）と、完成したメロンパンの状態（Ｂ）をそれぞれ示している。メロンパン作りでは、上述した丸パン作りと同じ工程で、パン生地の生成や、発酵や、焼成が行われると共に、最終的にメロンパンの皮となるクッキー生地を、パン生地とは別に生成する必要がある。従来は、ベンチタイムが終了したパン生地片にクッキー生地をかぶせて包んだ後に、「成形発酵」工程でオーブン加熱により、調理室１４に入れられたパン生地を２次発酵させていたが、本実施形態の「らくらくメロンパン」メニューでは、調理室１４内のパン生地片をレンジ加熱で成形発酵させるので、パン生地片の上にクッキー生地を載せるだけにすることができる。これにより、従来よりもパン生地片の発酵時間を大幅に短縮できるだけでなく、メロンパンを簡単に作ることができる。
【００７１】
また、上述した「らくらくベーカリー」メニューや、「らくらくピザ」メニューや、「らくらくフランスパン」メニューや、「らくらくメロンパン」メニューなどの発酵焼成メニューでは、生地の発酵をオーブンレンジにではなく、冷蔵庫で行わせてもよい。例えば図１２の（Ａ）に示すように、オーブンレンジの発酵焼成メニューを利用して、前日の夜に「混ぜる、こねる」工程で生地を生成し、これを耐熱ガラス製ボウルに入れて冷蔵庫で一晩発酵させる。次に、図１２の（Ｂ）に示すように、翌日に冷蔵庫から生地を取り出し、所望の形状の大きさに分割する（図１２の（Ｃ））。これを図１２の（Ｄ）に示すように、最後の「焼成」工程で焼き上げれば、翌日は１時間以内の短時間にパンを焼き上げることができる。
【００７２】
さらに、炊飯器のパンレシピでこねやすく、バターロールより簡単にパン作りができる「シンプル丸パン」メニューを、発酵焼成メニューの中に組み入れてもよい。図１３の（Ａ）は、「シンプル丸パン」メニューによるパン作りで、パン生地を生成した状態を示し、図１３の（Ｂ）と（Ｃ）は、そのパン生地を分割せずに焼き上げた状態を示している。
【００７３】
次に、本実施形態の「らくらくベーカリー」メニューや、「らくらくフランスパン」メニューに基づくレシピ（調理手順）の試験結果を詳しく説明する。
【実施例１】
【００７４】
本実施形態の「らくらくベーカリー」メニューを利用して、扱いやすい生地で短時間にお手軽な丸パンを作るためのレシピを検討する。
【００７５】
図１４は、「らくらくベーカリー」メニューに基づく丸パン作りで、水分量を変更した場合の作り方と仕上がりの結果を比較したものである。丸パン作りに必要な所定の食材（材料）は、ふるった強力粉を１６０ｇ、バターを２０ｇ、牛乳を１２０ｇ、インスタントドライイーストを４ｇ、砂糖を２０ｇ、塩を２ｇとするのが標準である。ここで、分量のベーカーパーセント、すなわち小麦粉の量を１００％としたときの他の材料のパーセントは、水分に相当する牛乳の量が７５％で、他のパンと比べると多い。しかも、従来はこねる際にパン生地が乾燥するので、ある程度水分が多くてもよいが、本実施形態の「らくらくベーカリー」メニューでは、最初の粉練り工程でパン生地をこねずに生成するので、標準のレシピでは水分量が多く、生成されたパン生地がべたついたものとなる。
【００７６】
そこで、本実施形態の「らくらくベーカリー」メニューを利用して、図１４の試験（Ａ）では、水分として牛乳の水分量を１０５ｇに減らし、試験（Ｂ）では、水分として使用する液体を牛乳から水に変更すると共に、水分量を９０ｇに減らして、それぞれの変更後のレシピで評価基準を満足するか否かを確認した。図１４には、試験（Ａ），（Ｂ）について、出来上がったパンの表側と断面の写真をそれぞれ列記している。結果は、水９０ｇを材料とした試験（Ｂ）よりも、牛乳１０５ｇを材料とした試験（Ａ）のほうが扱いやすかった。
【００７７】
次に、試験（Ａ）の水分量に基づく２つのレシピ案を検討した。図１５は、第１のレシピ案（１）の詳細を示したものである。また図１６は、第２のレシピ案（２）の詳細を示したものである。
【００７８】
標準の丸パン作りのレシピでは、最初の粉練り工程で、所定量のバターと牛乳だけを耐熱ガラス製ボウルに入れて加熱するが、レシピ案（１），（２）では何れも、所定量のバターと牛乳の他に砂糖を入れて加熱する。同じく粉練り工程で、標準レシピでは、インスタントドライイーストを加えてよく混ぜ、砂糖・塩・１／２量の強力粉の順に加えて、泡立て器でよく混ぜ、その後に残りの強力粉を加えて、ゴムべらで粉っぽさがなくなるまでよく混ぜるが、レシピ案（１）では、インスタントドライイーストを加えてよく混ぜた後に、１／２量の強力粉だけを加えて、泡立て器でよく混ぜ、その後に残りの強力粉と塩を加えて、ゴムべらで粉っぽさがなくなるまでよく混ぜる。またレシピ案（２）では、インスタントドライイーストを加えてよく混ぜた後に、１／２量の強力粉だけを加えて、泡立て器でよく混ぜ、強力粉半量で１次発酵を行なわせてから、残りの強力粉と塩を加えて、ゴムべらで粉っぽさがなくなるまでよく混ぜる。ここでは、標準レシピよりも塩を後入れにすることで、インスタントドライイーストの発酵を促すことができる。
【００７９】
レシピ案（１），（２）では何れも、パン生地を１個当たり約４０ｇ程度のパン生地片に分割して、それぞれのパン生地片を丸い形に整えた後に、角皿２１に敷いたオーブンシートの上に置いて一時的に休ませる。このベンチタイムから、パン生地片を他の場所に移し替えることなく、成形発酵と焼成の工程を連続して行わせるために、オーブン加熱で調理室１４内を７分間４０℃に加熱して、パン生地片を成形発酵させた後、そのまま予熱を行なわずに調理室１４内が１９０℃となるように１５分間加熱して、完成したパンに焼き上げる。
【００８０】
図１７は、上述したレシピ案（１），（２）のそれぞれについて、丸パンの作り方と仕上がりの結果を比較したものである。またここでは、レシピ案（１），（２）の比較結果から、レシピ案（１）を基本として改良したレシピ案（１’）について、同じく丸パンの作り方と仕上がりの結果を示している。レシピ案（１’）は、レシピ案（１）の材料となる牛乳を１０５ｇから１１０ｇに増やし、２次発酵（成形発酵）の時間を７分から１５分に増やしたもので、その他の作り方はレシピ案（１）と一致する。
【００８１】
これらのレシピ案（１），（２），（１’）に共通して、本実施形態では最初の粉練り工程で、メニュー選択設定手段７Ａとなるタッチキーを操作して、複数のメニューの中から「らくらくベーカリー」メニューを選択し、被調理物Ｓとして所定量のバターと牛乳と砂糖を耐熱ガラス製ボウルに入れたものを、調理室１４の底壁１４ｂに載せる。そして、メニュー選択設定手段７Ａとなる別のスタートキーを操作すると、発酵焼成メニュー調理制御部６９により「らくらくベーカリー」メニューが特定のメニューとして設定され、調理室１４に入れられた被調理物Ｓが、６００Ｗ相当のマイクロ波出力で３０〜４０秒間レンジ加熱されるように、マイクロ波発生装置１９の動作が制御される。
【００８２】
発酵焼成メニュー調理制御部６９は、粉練り工程での所定時間の加熱が終了すると、表示手段６やブザー（図示せず）などの報知手段で、その旨を報知させる。これにより、調理室１４から被調理物Ｓを入れた耐熱ガラス製ボウルが取り出され、図１５や図１６で示したように、そこに別な材料が混ぜ合わされてパン生地が生成される。
【００８３】
この後の１次発酵では、調理室１４の底壁１４ｂ中央にパン生地を置いて、メニュー選択設定手段７Ａとなるスタートキーを操作する。これを受けて発酵焼成メニュー調理制御部６９は、調理室１４に入れられたパン生地が、１００Ｗ相当のマイクロ波出力で２分間レンジ加熱されるように、マイクロ波発生装置１９の動作を制御する。所定時間のレンジ加熱が終了すると、パン生地は調理室１４の内部に５分放置され、５分放置された時点で、発酵焼成メニュー調理制御部６９は報知手段に１次発酵の終了を報知させる。
【００８４】
２次発酵では、レシピ案（１），（２），（１’）の何れも、角皿２１に敷いた紙製のオーブンシートを台にして、丸めたパン生地片を置いた状態で、調理室１４の下段の棚支え２２に角皿２１を載せ、メニュー選択設定手段７Ａとなるスタートキーを操作する。これを受けて発酵焼成メニュー調理制御部６９は、パン生地片の発酵温度を４０℃に設定して、レシピ案（１），（２）ではこの温度を目標に調理室１４内を７分間オーブン加熱し、改良したレシピ案（１’）では調理室１４内を１５分間オーブン加熱する。
【００８５】
発酵焼成メニュー調理制御部６９は、２次発酵が終了してもその旨を報知手段に報知させず、引き続き次の焼成工程で予熱を行なうことなく、調理室１４内の温度を１９０℃に設定して、この温度を目標に１５分間オーブン加熱する。そして、焼成工程でのオーブン加熱が終了したら、その旨を報知手段に報知させる。
【００８６】
図１７には、レシピ案（１），（２），（１’）のそれぞれについて、出来上がったパンの表側と断面の写真と、出来上がったパンの感想と、をそれぞれ列記している。結果は図１７に示したとおり、レシピ案（１）とレシピ案（２）との比較では、レシピ案（１）の方が、パン生地のべたつきが少ないために作りやすく、またレシピ案（１）のままでは焼き上がりのパンが少し硬いために、改良レシピ案（１’）のように水分量と２次発酵の時間を変更すれば、レシピ案（１）よりもふんわりとした柔らかい出来上がりのパンを作り出せる。したがって、本実施形態における「らくらくベーカリー」メニューを利用して、改良レシピ案（１’）の手順で丸パン作りを行なえば、小麦粉を含む所定の食材から、短時間で美味しい丸パンに加工調理できることがわかった。
【実施例２】
【００８７】
本実施形態の「らくらくフランスパン」メニューを利用して、フランスパン風のパンを１時間以内に簡単に作るためのレシピを検討する。ここでは、３つの検討レシピについて、既存のレシピとの比較検討を行なった。図１８は、第１の検討レシピ（１）の詳細を示したものであり、図１９は、第２の検討レシピ（２）の詳細を示したものであり、図２０は、第３の検討レシピ（３）の詳細を示したものである。また図２１は、全ての検討レシピ（１）〜（３）に共通して、所定の食材としての材料と分量を示し、図２２は既存のレシピの材料と分量を示している。
【００８８】
前述したように、既存のレシピでは、フランスパン専用粉と、インスタントドライイーストと、粉末モルトと、水と、塩を必要とし、砂糖は不要であったが、検討レシピ（１）〜（３）では何れも、粉末モルトを不要にする代わりに砂糖を使用し、フランスパン専用粉の代わりに、強力粉と薄力粉を７：３の割合で使用し、砂糖を溶かすのに水ではなく、ぬるま湯を使用する。図２１では、出来上がりのフランスパン１本分について、その直径目標が６ｃｍの場合（図中「φ６ｃｍ目標」）と、８ｃｍの場合（図中「φ８ｃｍ目標」）の分量をそれぞれ示している。検討レシピ（１），（２）は、「φ６ｃｍ目標」の分量で調理し、検討レシピ（３）は、「φ８ｃｍ目標」の分量で調理した。また図２２では、既存レシピにおける出来上がりのフランスパン２本分について、長さが約３０ｃｍの分量を示している。既存レシピは、図２２に示す約３０ｃｍの分量で調理した。
【００８９】
検討レシピ（１）では、１次発酵工程で、スタートキーの操作を受けて、調理室１４に入れられたパン生地を、２００Ｗ相当のマイクロ波出力で３０秒間レンジ加熱した後、そのまま調理室１４の内部に１５分放置するように、発酵焼成メニュー調理制御部６９がマイクロ波発生装置１９の動作を制御する。これに対して検討レシピ（２）では、１次発酵の工程で、調理室１４に入れられたパン生地を、１００Ｗ相当のマイクロ波出力で２秒間レンジ加熱した後、そのまま調理室１４の内部に７分放置し、検討レシピ（３）では、レンジ加熱後の放置時間を１１分に延長する。このように、それぞれの検討レシピ（１），（２），（３）で、１次発酵工程におけるレンジ加熱の設定出力や時間と、その後の放置時間が異なる。
【００９０】
また検討レシピ（１）では、成形発酵工程で、オーブンシートを敷いた角皿２１の対角線上に置かれた調理室１４内のパン生地を、３５℃の発酵温度で２０分間オーブン加熱するように、発酵焼成メニュー調理制御部６９が熱風ユニット２４の動作を制御する。そして、成形発酵工程終了後の焼成工程で、パン生地を角皿２１と共に調理室１４から取り出し、パン生地にクープを入れたりしている間に、発酵焼成メニュー調理制御部６９はスタートキーの操作を受けて調理室１４の温度を２５０℃に設定し、この温度を目標として調理室１４内をオーブン加熱で予熱させる。予熱終了後は、予め調理室１４内に１０回程度霧を吹き、再びオーブンシートにパン生地を載せた状態の角皿２１を下段の棚支え２２に載せて、スタートキーを操作すると、発酵焼成メニュー調理制御部６９は調理室１４の温度を２５０℃から２３０℃に下げて設定し、この温度を目標にパン生地を５分間オーブン加熱する。オーブン加熱が終了すると、予熱を行なわずに、さらに調理室１４の温度を２００℃に設定して、引き続きパン生地を１０分間オーブン加熱し、完成したフランスパンに焼き上げる。
【００９１】
これに対して検討レシピ（２），（３）では、何れも成形発酵工程で、オーブンシートに載せたパン生地を調理室１４の底壁１４ｂの対角線上に置き、スタートキーの操作を受けて、調理室１４に入れられたパン生地を、１００Ｗ相当のマイクロ波出力で４分間レンジ加熱した後、そのまま調理室１４の内部に２分放置するように、発酵焼成メニュー調理制御部６９がマイクロ波発生装置１９の動作を制御する。したがって、検討レシピ（２），（３）の成形発酵工程における時間は、検討レシピ（１）よりも短縮される。
【００９２】
検討レシピ（２）では、成形発酵工程終了後の焼成工程で、パン生地を調理室１４から取り出し、パン生地にクープを入れたりしている間に、発酵焼成メニュー調理制御部６９はスタートキーの操作を受けて調理室１４の温度を２５０℃に設定し、この温度を目標として調理室１４内をスチーム加熱で予熱させるように、熱風ユニット２４に代わって蒸気供給装置３３の動作を制御する。これにより、予熱終了後は調理室１４内への霧吹きを省略して、オーブンシートにパン生地を載せた状態の角皿２１を下段の棚支え２２に載せて、スタートキーを操作する。これを受けて発酵焼成メニュー調理制御部６９は、調理室１４の温度を２５０℃に設定したまま、この温度を目標にパン生地を１０分間スチーム加熱する。スチーム加熱が終了すると、予熱を行なわずに、調理室１４の温度を２２０℃に設定して、この温度を目標に引き続きパン生地を５分間オーブン加熱するように、蒸気供給装置３３に代わって熱風ユニット２４の動作を制御し、完成したフランスパンに焼き上げる。
【００９３】
この一連の手順において、検討レシピ（３）では、オーブンシートの耐熱温度を考慮して、過熱水蒸気によるスチーム加熱における調理室１４内の温度設定を２５０℃から２４０℃に変更し、それ例外は検討レシピ（２）と共通する。
【００９４】
図２３は、上述した検討レシピ（１）〜（３）のそれぞれについて、フランスパンの作り方と仕上がりの結果を比較したものである。またここでは、既存の「フランスパン」メニューを利用したレシピ（図中の「既存レシピ」）についても、フランスパンの作り方と仕上がりの結果を併記している。
【００９５】
検討レシピ（１）〜（３）に共通して、本実施形態では最初の粉練り工程で、フランスパンの生地を生成した後（生成の手順は、図１８〜図２０の「粉練り」を参照）、次の一次発酵工程で、メニュー選択設定手段７Ａとなるタッチキーを操作して、複数のメニューの中から「らくらくフランスパン」メニューを選択し、生成したパン生地を調理室１４の底壁１４ｂに載せる。なお粉練り工程では、食材をこねずにゴムベラで混ぜるだけで、パン生地を生成する。
【００９６】
この後、メニュー選択設定手段７Ａとなるスタートキーが操作されると、発酵焼成メニュー調理制御部６９により「らくらくフランスパン」メニューが特定のメニューとして設定され、調理室１４に入れられた被調理物Ｓとしてのパン生地が、１００Ｗ相当のマイクロ波出力で２分間レンジ加熱されるように、マイクロ波発生装置１９の動作が制御される。所定時間のレンジ加熱が終了すると、パン生地は調理室１４の内部にそのまま放置され、検討レシピ（１）〜（３）毎に異なる所定時間放置された時点で、発酵焼成メニュー調理制御部６９は報知手段に１次発酵の終了を報知させる。
【００９７】
次に検討レシピ（１）〜（３）では、調理時間を短縮するのに何れもベンチタイムを取らず、２次発酵となる成形発酵工程に移行する。成形発酵工程から焼成工程の手順については、上述した通りである。そして、粉練りから焼成までの全工程の調理合計時間（作業時間を含む）は、既存レシピでは約４時間であったのに対し、検討レシピ（１）では約１時間１０分となり、検討レシピ（２）では約５０分となり、検討レシピ（３）では約５５分となって、特に検討レシピ（２），（３）では１時間以内に大幅に時間短縮された。また、既存レシピでは、角皿２１に２本のパン生地を横置きして、長さが約２３ｃｍで横幅が約１０ｃｍのフランスパンに焼き上げているのに対し、検討レシピ（１），（２）では、角皿２１に１本のパン生地を右肩上がりの状態で対角線上に斜め置きして、既存レシピよりも細長い長さが約３５ｃｍで横幅が約６ｃｍのフランスパンに焼き上げ、検討レシピ（３）では、角皿２１に１本のパン生地を左肩上がりの状態で対角線上に斜め置きして、既存レシピよりも細長い長さが約３５ｃｍで横幅が約６．８ｃｍのフランスパンに焼き上げた。
【００９８】
図２３には、検討レシピ案（１），（２），（３）と既存レシピのそれぞれについて、出来上がったパンの表側と裏側と断面の写真をそれぞれ列記している。結果は図２３に示したとおり、検討レシピ（１），（２）では、何れも出来上がったパンにパリッと感や、ふんわり感があまりなく、検討レシピ（３）では、食材の分量を増やしたことによってふんわり感もあり、既存レシピのフランスパンに近付いた。また、検討レシピ（１），（２）のように、角皿２１に生地を右肩上がりに置くよりも、検討レシピ（３）のように、角皿２１に生地を左肩上がりに置いたほうが、皮の焼き色も全体につき、パリッと感や香ばしさが増した。調理時間については、検討レシピ（２），（３）では何れも作業時間を含めて１時間以内となっており、尚且つ作りやすくなった。したがって、本実施形態における「らくらくフランスパン」メニューを利用して、検討レシピ案（３）の手順でフランスパン作りを行なえば、小麦粉を含む所定の食材から、短時間で美味しいフランスパンに加工調理できることがわかった。
【実施例３】
【００９９】
本実施形態の「らくらくフランスパン」メニューを利用して、実施例２とは別な下位機種のオーブンレンジで調理し、フランスパン風のパンを１時間以内に簡単に作るためのレシピを検討する。ここでは、２種類の別機種について、実施例２で満足な結果が得られた検討レシピ（３）を、それぞれの機種に合せて一部変更した上で、実施例２で使用したオーブンレンジからの変更点の確認や、出来上がりの確認を行なった。
【０１００】
本実施例で使用する第１の別機種は、前述の熱風ユニット２４が設けられておらず、代わりに調理室１４の上部に設けられた上ヒータ１８としてのセラミックヒータと、調理室１４の底部に設けられた下ヒータとにより、オーブン加熱手段を構成している。それに加えて第２の別機種は、蒸気供給装置３３が設けられていない。第１の別機種については、焼成工程でのオーブン加熱による設定温度を２２０℃から２００℃に変更した第１の変更レシピ（３−１）と、焼成工程での最後のオーブン加熱による設定温度を２２０℃から２４０℃に変更すると共に、焼成時間を５分から８分に変更した第２の変更レシピ（３−２）で、それぞれフランスパンを加工調理した。また、第２の別機種については、焼成工程でスチーム加熱ではなくオーブン加熱による設定温度を２３０℃に変更し、角皿２１に大さじ１の水を入れた状態で、焼成時間を合計１５分から１８分に変更した第３の変更レシピ（３−３）と、成形発酵工程でレンジ加熱後の放置時間を２分から０分に変更して省略し、変更レシピ（３−３）で角皿２１に大さじ１の水を入れたものを、アルミカップに水を入れたものに変更して、これを調理室１４の底壁１４ｂの中央に置いた第４の変更レシピ（３−４）で、それぞれフランスパンを加工調理した。それ以外は、変更レシピ（３−１）〜（３−４）の何れも、検討レシピ（３）と共通する。
【０１０１】
図２４は、上述した変更レシピ（３−１）〜（３−４）のそれぞれについて、フランスパンの作り方と仕上がりの結果を比較したものである。
【０１０２】
これらの変更レシピ（３−１）〜（３−４）に共通して、本実施形態では最初の粉練り工程で、フランスパンの生地を生成した後、次の一次発酵工程で、メニュー選択設定手段７Ａとなるタッチキーを操作して、複数のメニューの中から「らくらくフランスパン」メニューを選択し、生成したパン生地を調理室１４の底壁１４ｂに載せる。なお粉練り工程では、食材をこねずにゴムベラで混ぜるだけで、パン生地を生成する。
【０１０３】
この後、メニュー選択設定手段７Ａとなるスタートキーが操作されると、発酵焼成メニュー調理制御部６９により「らくらくフランスパン」メニューが特定のメニューとして設定され、調理室１４に入れられた被調理物Ｓとしてのパン生地が、１００Ｗ相当のマイクロ波出力で２分間レンジ加熱されるように、マイクロ波発生装置１９の動作が制御される。所定時間のレンジ加熱が終了すると、パン生地は調理室１４の内部にそのまま放置され、変更レシピ（３−１）〜（３−４）に共通して１１分放置された時点で、発酵焼成メニュー調理制御部６９は報知手段に１次発酵の終了を報知させる。
【０１０４】
次に変更レシピ（３−１）〜（３−４）では、調理時間を短縮するのに何れもベンチタイムを取らず、２次発酵となる成形発酵工程に移行する。成形発酵工程では、変更レシピ（３−１）〜（３−４）に共通して、調理室１４に入れられたパン生地が、１００Ｗ相当のマイクロ波出力で４分間レンジ加熱されるように、マイクロ波発生装置１９の動作が制御される。この後、変更レシピ（３−１）〜（３−３）では、調理室１４の内部にパン生地がそのまま放置され、２分放置された時点で、発酵焼成メニュー調理制御部６９が報知手段に成形発酵の終了を報知させる。また変更レシピ（３−４）では、４分間のレンジ加熱が終了すると、発酵焼成メニュー調理制御部６９が直ちに報知手段に成形発酵の終了を報知させる。１次発酵の開始から成形発酵の終了報知までの時間は、変更レシピ（３−１）〜（３−３）が１９分００秒で、変更レシピ（３−４）が１７分００秒である。
【０１０５】
その後の焼成工程において、第１の別機種に対応した変更レシピ（３−１）では、成形発酵が終了したパン生地を調理室１４から取り出し、パン生地にクープを入れたりしている間に、発酵焼成メニュー調理制御部６９はスタートキーの操作を受けて調理室１４の温度を２４０℃に設定し、この温度を目標として調理室１４内をスチーム加熱で予熱させるように、蒸気供給装置３３の動作を制御する。予熱終了後は調理室１４内への霧吹きを省略して、オーブンシートにパン生地を載せた状態の角皿２１を下段の棚支え２２に載せて、スタートキーを操作する。これを受けて発酵焼成メニュー調理制御部６９は、調理室１４の温度を２４０℃に設定したまま、この温度を目標にパン生地を１０分間スチーム加熱する。スチーム加熱が終了すると、予熱を行なわずに、調理室１４の温度を２００℃に設定して、この温度を目標に引き続きパン生地を５分間オーブン加熱するように、蒸気供給装置３３に代わってオーブン加熱手段の動作を制御し、完成したフランスパンに焼き上げる。
【０１０６】
また、もう一つの変更レシピ（３−２）では、過熱水蒸気によるスチーム加熱の後のオーブン加熱で、設定温度を２００℃から２４０℃に変更し、また加熱時間を５分から８分に変更するが、それ例外は焼成工程における変更レシピ（３−１）と共通する。
【０１０７】
焼成工程において、第２の別機種に対応した変更レシピ（３−３）では、蒸気供給装置３３によるスチーム加熱に代わり、角皿２１に入れた水をオーブン加熱で蒸発させ、調理室１４内にスチームを投入する。具体的には、成形発酵が終了したパン生地を調理室１４から取り出し、パン生地にクープを入れたりしている間に、発酵焼成メニュー調理制御部６９はスタートキーの操作を受けて調理室１４の温度を２３０℃に設定し、この温度を目標として調理室１４内をオーブン加熱で予熱させるように、オーブン加熱手段の動作を制御する。ここでも予熱終了後は調理室１４内への霧吹きを省略して、オーブンシートにパン生地を載せた状態の角皿２１を下段の棚支え２２に載せ、さらにその角皿２１に大さじ１杯の水を入れて、スタートキーを操作する。これを受けて発酵焼成メニュー調理制御部６９は、調理室１４の温度を２３０℃に設定したまま、この温度を目標にパン生地が１８分間オーブン加熱されるように、オーブン加熱手段の動作を制御し、完成したフランスパンに焼き上げる。
【０１０８】
また、もう一つの変更レシピ（３−４）では、角皿２１に大さじ１杯の水を入れる代わりに、角皿２１の下側で調理室１４の底壁１４Ｂの上に、水を入れたアルミカップを置いて、スタートキーを操作する。これを受けて発酵焼成メニュー調理制御部６９は、調理室１４の温度を２３０℃に設定したまま、この温度を目標にパン生地が１８分間オーブン加熱されるように、オーブン加熱手段の動作を制御し、完成したフランスパンに焼き上げる。
【０１０９】
そして、粉練りから焼成までの全工程の調理合計時間（作業時間を含まず）は、既存レシピでは約４時間であったのに対し、変更レシピ（３−１）では約４５分となり、変更レシピ（３−２）では約５０分となり、変更レシピ（３−３）では約５０分となり、変更レシピ（３−４）では約４５分となって、１０分の作業時間を含めた調理合計時間は、全ての変更レシピ（３−１）〜（３−４）で１時間以内に大幅に時間短縮された。また、変更レシピ（３−１）〜（３−４）では、前述の検討レシピ（３）と同様に、角皿２１に１本のパン生地を左肩上がりの状態で対角線上に斜め置きしており、変更レシピ（３−１），（３−２）では、長さが約３０ｃｍで横幅が約７ｃｍのフランスパンに焼き上げ、変更レシピ（３−３）では、長さが約３０ｃｍで横幅が約６．５ｃｍのフランスパンに焼き上げ、変更レシピ（３−４）では、長さが約３０ｃｍで横幅が約６．２ｃｍのフランスパンに焼き上た。
【０１１０】
図２４には、変更レシピ（３−１）〜（３−４）のそれぞれについて、出来上がったパンの表側と裏側と断面の写真をそれぞれ列記している。結果は図２４に示したとおりであり、実施例２の上位機種と比べて食感や風味は劣るものの、本実施例の下位機種でも調理合計時間が１時間以内に短縮され、且つ作りやすくなった。また変更レシピ（３−３）では、焼成工程で角皿２１に大さじ１杯の水を入ることにしたが、変更レシピ（３−４）は水を入れたアルミカップの出し入れに難があった。
【０１１１】
なお、変更レシピ（３−１）〜（３−４）はいずれも検討レシピ（３）よりも予熱時間が長いので、その分、成形発酵工程で調理室１４内にパン生地を放置する時間をなくしても、出来上がりに問題はなかった。したがって、変更レシピ（３−４）に限らず、変更レシピ（３−１）〜（３−３）についても、成形発酵工程で調理室１４内にパン生地を放置する時間をなくすことで、より短時間に美味しいフランスパンに加工調理できる。
【０１１２】
以上のように、本実施形態のオーブンレンジは、調理室１４に入れられた被調理物Ｓをレンジ加熱するレンジ加熱手段としてのマイクロ波発生装置１９と、被調理物Ｓをヒータ加熱するオーブン加熱手段としての例えば熱風ユニット２４と、被調理物Ｓをスチーム加熱するスチーム加熱手段としての蒸気供給装置３３と、制御手段５１のメモリに予め記憶保持された複数のメニューの中から、特定のメニューを手動で選択的に設定可能にするメニュー選択設定手段７Ａと、を備えている。そして、メニュー選択設定手段７Ａにより、特定のメニューとして発酵焼成メニューとなる「らくらくベーカリー」メニューや、「らくらくピザ」メニューや、「らくらくフランスパン」メニューの一つを選択して設定すると、粉練りから発酵を含んだ焼き上がりまでの工程が６０分以内となるように、マイクロ波発生装置１９や熱風ユニット２４や蒸気供給装置３３の動作を制御して、被調理物Ｓとなる穀粉を含む所定の食材から生地を生成し、発酵焼成品に加工調理する構成として、制御手段５１に発酵焼成メニュー調理制御部６９を備えている。
【０１１３】
この場合、メニュー選択設定手段７Ａを操作することにより、複数のメニューの中から好みの発酵焼成メニューを選択して設定すると、マイクロ波発生装置１９や熱風ユニット２４や蒸気供給装置３３の動作が制御され、小麦粉などの穀物粉を含む所定の食材が６０分以内で発酵焼成品としてのパンに加工調理される。そのため、複数の調理メニューの中から選択的に設定した調理メニューにより、穀物粉を含む所定の食材から発酵焼成品に短時間で加工調理することが可能になる。
【０１１４】
また、本実施形態の発酵焼成メニュー調理制御部６９は、最初の粉練り工程で、所定の食材をこねずに混ぜ合わせるだけで、マイクロ波発生装置１９を動作させて、調理室１４に入れられた生地へのレンジ加熱を行なう構成としている。
【０１１５】
このように、所定の食材をこねずに混ぜるだけで、発酵工程前の生地を生成できるので、粉練り工程における時間短縮を図ることが可能になる。
【０１１６】
また、本実施形態の発酵焼成メニュー調理制御部６９は、粉練り工程の後の発酵工程で１次発酵と、２次発酵となる成形発酵をそれぞれ行ない、成形発酵とそれに続く焼き上げすなわち焼成の各工程で、熱風ユニット２４を動作させて、調理室１４に入れられた生地へのヒータによるオーブン加熱を行なうように構成している。
【０１１７】
この場合、成形発酵の工程が終了した後の生地を、そのままの状態でヒータによるオーブン加熱により発酵焼成品に焼き上げることが可能となり、生地移動の手間を省くことができる。
【０１１８】
また、本実施形態の発酵焼成メニュー調理制御部６９は、発酵工程でマイクロ波発生装置１９だけを動作させて、調理室１４に入れられた生地へのレンジ加熱を行なう構成としている。
【０１１９】
この場合、粉練り工程で生成された生地に対して、マイクロ波発生装置１９によるレンジ加熱だけを行なわせることで、発酵工程における時間短縮を図ることが可能になる。
【０１２０】
そして、本実施形態の発酵焼成メニュー調理制御部６９は、発酵工程でレンジ加熱による高周波出力が４００Ｗ相当以下で、生地の温度が６０℃以下となるように、レンジ加熱手段を動作させる構成とするのが好ましい。
【０１２１】
つまり、発酵工程で高周波出力が４００Ｗ相当以下となるように、また生地の温度が６０℃以下となるように、粉練り工程で生成された生地に対してレンジ加熱を行なうことで、最適な条件で生地を発酵させることが可能となる。
【０１２２】
なお、本発明は上記実施形態に限定されるものではなく、本発明の趣旨を逸脱しない範囲で種々の変更可能である。例えば所定の食材に含まれる穀粉としては、小麦粉の他に米粉やライ麦粉などの各種穀物を挽いた粉を利用でき、それに合わせて最終的な発酵焼成品も、様々なパンやピザなどに焼き上げることができる。
【符号の説明】
【０１２３】
７Ａ  メニュー選択設定手段
１４  調理室
１８  上ヒータ（オーブン加熱手段）
１９  マイクロ波発生装置（レンジ加熱手段）
２４  熱風ユニット（オーブン加熱手段）
Ｓ  被調理物
【図１】
2019092995.tif 000003
【図２】
2019092995.tif 000004
【図３】
2019092995.tif 000005
【図４】
2019092995.tif 000006
【図５】
2019092995.tif 000007
【図６】
2019092995.tif 000008
【図７】
2019092995.tif 000009
【図８】
2019092995.tif 000010
【図９】
2019092995.tif 000011
【図１０】
2019092995.tif 000012
【図１１】
2019092995.tif 000013
【図１２】
2019092995.tif 000014
【図１３】
2019092995.tif 000015
【図１４】
2019092995.tif 000016
【図１５】
2019092995.tif 000017
【図１６】
2019092995.tif 000018
【図１７】
2019092995.tif 000019
【図１８】
2019092995.tif 000020
【図１９】
2019092995.tif 000021
【図２０】
2019092995.tif 000022
【図２１】
2019092995.tif 000023
【図２２】
2019092995.tif 000024
【図２３】
2019092995.tif 000025
【図２４】
2019092995.tif 000026